(57)【要約】【課題】立方体形状の収容空間から収容物を出し入れする時に、蓋が作業の邪魔にならないように開放状態のまま保持する。【解決手段】収納箱１は、立方体形状の収容空間２を形成する４つの側面１５〜１８と、この４つの側面１５〜１８の上辺１４側に折り曲げ可能な中蓋３、４及び外蓋５、６を備えていて、隣り合う中蓋３と外蓋５、中蓋４と外蓋６のうち、外蓋５、６にはそれぞれ突状片７、１０が形成され、中蓋３、４にはそれぞれ凹部８、１１が形成されている。そして、中蓋３、４及び外蓋５、６を側面１５〜１８の外側に折り曲げて収容空間２を開放した際に、突状片７、１０がそれぞれ凹部８、１１に係合して、中蓋３、４及び外蓋５、６の折り曲げ姿勢が保持される。【選択図】図１
2006168739.tif 000002
【特許請求の範囲】
【請求項１】
略立方体形状又は略直方体形状の収容空間を形成する４つの側面と、この４つの側面の上辺及び下辺のそれぞれに折り曲げ可能に形成された蓋部材と、を備えた収納箱において、
前記上辺及び前記下辺の少なくとも一方側の前記蓋部材であって、少なくとも一対の隣り合う前記蓋部材の折り曲げる前の状態において向かい合う辺の一方には、他方の辺側に向かって突出する突状片が形成され、
前記蓋部材の折り曲げる前の状態において向かい合う辺の他方には、前記突状片に係合する凹部が形成され、
前記少なくとも一対の蓋部材を前記側面の外側に折り曲げて前記収容空間を開放した際に、前記突状片が前記凹部に係合して、前記少なくとも一対の蓋部材の折り曲げられた姿勢が保持されることを特徴とする収納箱。
【請求項２】
前記突状片には、前記凹部の縁に引っ掛かって前記凹部との係合解除防止機能を発揮する突起が形成されたことを特徴とする請求項１に記載の収納箱。
【請求項３】
前記突状片が形成された前記蓋部材で前記収容空間の開口部を閉じる際に、前記突状片が形成された前記蓋部材の折り曲げ方向側に折り曲げられた前記突状片を差し込む穴が、前記凹部が形成された前記蓋部材と前記側面との境界部分又はその近傍に形成されたことを特徴とする請求項１又は２に記載の収納箱。
【発明の詳細な説明】
【技術分野】
【０００１】
この発明は、立方体形状等の収容空間から収容物を容易に出し入れ可能な収納箱に関するものである。
【背景技術】
【０００２】
略立方体形状又は略直方体形状の収容空間を形成する収納箱から収容物を出し入れする際、４つの側面の上辺に折り曲げ可能に形成された４枚の蓋が四方に広がり、あるいは弾性力で自然に上方に持ち上がったりして、作業の邪魔になるため、一方の手で４枚の蓋が開かないように押さえ、他方の手に収容物を持って収容空間から出し入れしたり、また２人の作業者がいる場合は、１人が４枚の蓋を開かないように押さえ、もう１人が収容物を収容空間から出し入れしていた。しかし、例えば収容物を収容空間から一度に取り出すことが難しく、何回にも分けて取り出さなければならない場合には、一度収容物の一部を取り出した後も４枚の蓋を開けておいて欲しいが、このような時に、その都度作業者の１人が４枚の蓋を開いた状態にして保持しているのでは煩雑である。
【０００３】
このような収納箱において、例えば、特許文献１に開示された技術では、図８に示すように、収納箱の４枚の蓋１０２を開いた状態の時、４枚の蓋１０２が箱本体１０１の外面から大きく離れて開いた状態になっているので、４枚の蓋１０２の外周にリング状の帯体１０３を嵌め入れて包囲するようにしている。これにより、４枚の蓋１０２は箱本体１０１の外周側に保持されるため、作業者は収納箱から収容物を容易に出し入れすることができるようになっている。
【０００４】
【特許文献１】特開平１０−１９４２７５号公報（第２頁、図１）
【発明の開示】
【発明が解決しようとする課題】
【０００５】
しかしながら、特許文献１に開示された従来技術では、４枚の蓋１０２が開かないようにするためにリング状の帯体１０３を用いているが、このリング状の帯体１０３は収納箱とは無関係の作業治具であるため、このリング状の帯体１０３を製造するために、コストが増大するという不利があった。また、特許文献１によると、収納箱から収容物を出し入れする度に、リング状の帯体１０３を用意しなければならないと共に、このリング状の帯体１０３を常に持ち運びしなければならないため、作業効率がきわめて悪かった。
【０００６】
そこで、本発明は、立方体形状等の収容空間から収容物を出し入れする時に、蓋部材が作業の邪魔にならないように蓋部材を４つの側面の外側に折り曲げた姿勢を保持可能な収納箱を提供することを目的とする。
【課題を解決するための手段】
【０００７】
請求項１の発明の収納箱は、略立方体形状又は略直方体形状の収容空間を形成する４つの側面と、この４つの側面の上辺及び下辺のそれぞれに折り曲げ可能に形成された蓋部材とを備えている。
【０００８】
この収納箱は、前記上辺及び前記下辺の少なくとも一方側の前記蓋部材であって、少なくとも一対の隣り合う前記蓋部材の折り曲げる前の状態において向かい合う辺の一方には、他方の辺側に向かって突出する突状片が形成され、
前記蓋部材の折り曲げる前の状態において向かい合う辺の他方には、前記突状片に係合する凹部が形成され、
前記少なくとも一対の蓋部材を前記側面の外側に折り曲げて前記収容空間を開放した際に、前記突状片が前記凹部に係合して、前記少なくとも一対の蓋部材の折り曲げられた姿勢が保持されることを特徴とする。
【０００９】
請求項２の発明は、請求項１に記載の収納箱において、前記突状片には、前記凹部の縁に引っ掛かって前記凹部との係合解除防止機能を発揮する突起が形成されたことを特徴とする。
【００１０】
請求項３の発明は、請求項１又は２に記載の収納箱において、前記突状片が形成された前記蓋部材で前記収容空間の開口部を閉じる際に、前記突状片が形成された前記蓋部材の折り曲げ方向側に折り曲げられた前記突状片を差し込む穴が、前記凹部が形成された前記蓋部材と前記側面との境界部分又はその近傍に形成されたことを特徴とする。
【発明の効果】
【００１１】
請求項１の発明によれば、少なくとも一対の蓋部材を４つの側面の外側に折り曲げて収容空間を開放した際に、少なくとも一対の隣り合う蓋部材の折り曲げる前の状態において向かい合う辺の一方に形成した突状片が、蓋部材の折り曲げる前の状態において向かい合う辺の他方に形成された凹部に係合して、少なくとも一対の蓋部材の折り曲げられた姿勢が保持されるようにしたので、収容物の出し入れ時に、蓋部材が作業の邪魔にならないように収容空間を開放状態で保持することができ、作業者が１人で簡単に収容物の出し入れを行うことができる。
【００１２】
また、請求項２の発明によれば、突状片には、凹部の縁に引っ掛かって凹部との係合解除防止機能を発揮する突起が形成されたので、蓋部材を４つの側面の外側に折り曲げた状態で突状片を凹部に係合した際、突状片と凹部との係合解除が防止されるので、蓋部材を折り曲げた姿勢に確実に保持することができる。
【００１３】
更に、請求項３の発明によれば、突状片が形成された蓋部材で収容空間の開口部を閉じる際に、突状片が形成された蓋部材の折り曲げ方向側に折り曲げられた突状片を差し込む穴が、凹部が形成された蓋部材と側面との境界部分又はその近傍に形成されたので、収容物を収容空間に入れた後に蓋部材をテープ止めする際等に、突状片を穴に差し込めば蓋部材は外側に開かないので、片手で蓋部材を押さえる必要がなく簡単に作業を行うことができる。
【発明を実施するための最良の形態】
【００１４】
以下、本発明の実施の形態を図面に基づき詳述する。
【００１５】
図１は、本発明の実施の形態の収納箱において、上辺の蓋を開いた状態の外観を示している。この図１において、収納箱１は、略立方体形状又は略直方体形状の収容空間２を形成する４つの側面１５〜１８と、この４つの側面１５〜１８の上辺１４に折り曲げ可能に形成された中蓋（蓋部材）３，４及び外蓋（蓋部材）５，６を有し、また、４つの側面１５〜１８の下辺１９に折り曲げ可能に形成された中蓋（蓋部材）３’，４’及び外蓋（蓋部材）５’，６’を有している（図２参照）。そして、上辺１４の隣り合う中蓋３と外蓋５の折り曲げる前の状態において向かい合う辺ａ（図２参照）の一方の外蓋５に、中蓋３に向かって突出する突状片７を形成し、かつ向かい合う辺ａ（図２参照）の他方の中蓋３に、突状片７に係合する凹部８を形成している。また、中蓋４と外蓋６の折り曲げる前の状態において向かい合う辺ｃ（図２参照）の一方の外蓋６に、中蓋４に向かって突出する突状片１０を形成し、かつ向かい合う辺ｃ（図２参照）の他方の中蓋４に、突状片１０に係合する凹部１１を形成している。なお、本実施の形態では、収納箱１の大きさは、縦４００ｍｍ、横４００ｍｍ、高さ４００ｍｍの大きさの立方体形状としている。
【００１６】
また、本実施の形態では、外蓋５に突状片７を形成すると共に中蓋３に凹部８を形成し、また外蓋６に突状片１０を形成すると共に中蓋４に凹部１１を形成したが、例えば外蓋５に凹部８を形成すると共に中蓋３に突状片７を形成し、また外蓋６に凹部１１を形成すると共に中蓋４に突状片１０を形成しても良い。また、隣り合う二対の中蓋３、４と外蓋５、６に凹部８、１１と突状片７、１０を設けたが、例えば隣り合う一対又は三対或いは四対の中蓋と外蓋に突状片と凹部を設けても良い。更に、上辺１４側の隣り合う二対の中蓋３、４と外蓋５、６に凹部８、１１と突状片７、１０を設けたが、例えば下辺１９の隣り合う二対の中蓋３’、４’と外蓋５’、６’の間に突状片（不図示）と凹部（不図示）を形成しても良い。この場合も、例えば隣り合う一対又は三対或いは四対の中蓋と外蓋に突状片と凹部を設けても良い。
【００１７】
更に、本実施の形態では、凹部８、１１が形成された中蓋３、４と側面１８、１６との境界部分（上辺）１４又はその近傍に穴１２，１３を形成している。この穴１２，１３は、突状片７、１０が形成された外蓋５、６で収容空間２の開口部を閉じる際に、突状片７、１０が形成された外蓋５、６の折り曲げ方向側に折り曲げられた突状片７、１０を差し込むために用いる。なお、同じように、下辺１９側に穴（不図示）を形成しても良い。
【００１８】
図２は、収納箱１の展開状態を示すものである。
【００１９】
この図２に示すように、収納箱１は、長方形状のシート材（段ボール紙、厚紙、プラスチックシート等）に展開図を描き、型取りして組み立てることができる。具体的には、図２における実線ａ〜ｆは切断線であり、残りの実線は折り曲げ線である。この切断線ａ〜ｆをハサミ等で切断し、次に折り曲げ箇所を折り曲げ線に沿って、図２の表面側から裏面側に折り曲げて収納箱１を組み立てる。また、側面１７における図の左右一側（右側）は側面１８が接続されているが、左右他側（左側）には、組立時に側面１６と接着剤等で接続するための糊代２０が設けられている。なお、突状片７、１０と凹部８、１１の位置は、特に限定されるものではないが、本実施の形態では、切断線ａ、ｃの長さ方向の中央位置よりも少し外側に設けている。
【００２０】
図３（ａ）（ｂ）は、突状片７，１０の形状の他の変形例を示している。図１及び図２では、突状片７，１０の形状を展開状態で長方形状としたが、図３（ａ）に示すように、外蓋５，６に形成した突状片７，１０を、中蓋３，４に形成した凹部８，１１に確実に保持するために、突状片７，１０には、凹部８，１１の縁に引っ掛かって凹部８，１１との係合解除防止機能を発揮する突起２５を形成している。これに対する凹部８，１１の形状は、突状片７，１０及び突起２５が係合可能なような形状とすれば良い。このようにすることで、後述の図６に示すように、中蓋３，４及び外蓋５，６を４つの側面１５〜１８の外側に折り曲げて、突状片７、１０を凹部８、１１に係合したときに、突起２５が凹部８，１１の縁に引っ掛かって係合解除するのを防止することができる。また、図３（ｂ）は、突状片７，１０の展開状態の形状を、先端側にいくほどその縦寸法（図の矢印方向）が大きくなるようにしたものである。これにより、後述の図６に示すように、中蓋３，４及び外蓋５，６を４つの側面１５〜１８の外側に折り曲げて、突状片７、１０を凹部８、１１に係合したときに、突状片７，１０の先端側が凹部８，１１の縁に引っ掛かって係合解除するのを防止することができる。なお、突状片７，１０と凹部８，１１の形状は、これらに限定されるものではなく、これ以外にも、例えば突状片７，１０の展開状態の形状で楔形状にしたり、円形状、又は楕円形状等にすることもできる。
【００２１】
図４は、収納箱１を構成するシート材として段ボール紙を用いた時の、その段ボール紙の外観図である。この図４に示すように、シート材として段ボール紙を用いた場合、この段ボール紙は、表面及び裏面側に厚紙状の表ライナー２１と裏ライナー２３、及びこの表裏ライナー２１、２３を接続する中芯２３により構成されている。この中芯２３は断面が波形状を有していて、表ライナー２１と裏ライナー２３を一体的に接続するためと、緩衝材としての役目を果たさせるために設けられている。この段ボール紙は、一般的に中芯２３の波形が連続する方向に対しては圧縮強度が弱く、反対にこれと直交する方向の圧縮強度は強いという性質を有している。このため、収納箱１を段ボール紙で組み立てた時は、圧縮力に対して強くなるように、図４の矢印方向を収納箱１の側面１５〜１８の上下方向に用いると良い。これにより、大きな重量の収納箱１を上下に複数重ねたとしても、重量で収納箱１がつぶれる虞がなく、圧縮力に対して強い収納箱１を製造することができる。
【００２２】
次に、図２に示した展開図から収納箱１を組み立てる場合の手順について説明する。
【００２３】
図５は、図２の展開図の状態から、切断部を切断線ａ〜ｆに沿ってハサミ等で切断しかつ折り曲げ部を折り曲げ線（その他の実線）に沿って工具で折り曲げた後、糊代２０を用いて側面１７と側面１６を接着剤で貼り付けて組み上げた状態を示している。この図５では、収納箱１の中蓋３、４，３’，４’と外蓋５，６，５’，６’を上下方向に開放した状態を示しており、かつ図１に示した場合と上下を反対にして、下辺１９側を上にし上辺１４側を下にしている。この状態で、下辺１９側の中蓋３’，４’を内側に折り曲げた後に、外蓋５’，６’を内側に折り曲げ、この外蓋５’，６’をテープ等で貼り付けて止める。この作業後に、図１に示したように、収納箱１の上辺１４側を上にして下辺１９側を下にする。
【００２４】
図６は、中蓋３，４及び外蓋５，６を側面１５〜１８の外側に折り曲げた状態で、収容物２４を収容空間２に出し入れするときの状態を示す図である。
【００２５】
この状態では、中蓋３，４及び外蓋５，６を側面１５〜１８の外側に折り曲げた状態で、外蓋６の突状片１０を中蓋４の凹部１１に係合し、かつ外蓋５の突状片７を中蓋３の凹部８に係合している。これにより、突状片７、１０と凹部８、１１が係合しているため、中蓋３，４及び外蓋５，６は側面１５〜１８の外側に折り曲げた姿勢が保持される。従って、作業者は中蓋３，４及び外蓋５，６を片手で押さえる必要はなく、この状態で収容物２４を収容空間２から出したり入れたりすることができる。なお、図３（ａ）（ｂ）で示したように、突状片７、１０の形状を種々に変えることで、中蓋３，４と外蓋５，６の係合状態をより確実に保持することができる。
【００２６】
図７は、収納箱１の収容空間２に収容物２４を入れて、外蓋５，６の突状片７，１０を上辺１４の穴１２，１３にそれぞれ差し込み、外蓋５，６を閉じた状態を示す図である。
【００２７】
この図７に示すように、収容空間２内に収容物２４を入れた後に中蓋３，４を閉じ、次に外蓋５，６を閉じて収容空間２の開口部を閉じるが、外蓋６を閉じるときその突状片１０を外蓋６の折り曲げ方向に折り曲げ、この突状片１０を上辺１４の穴１３に差し込む。また、外蓋５を閉じるときその突状片７を外蓋５の折り曲げ方向に折り曲げ、この突状片７を上辺１４の穴１２に差し込む。最後に、外蓋５，６をテープ等で貼り付けて止めて梱包を終了する。
【００２８】
なお、収納箱１の収容空間２から収容物２４を取り出すときは、外蓋５，６を貼り付けているテープ等を剥がし、次に外蓋５，６の突状片７，１０を穴１２，１３から抜き取り、更に中蓋３，４及び外蓋５，６を側面１５〜１８の外側に折り曲げる。そして、外蓋５，６の突状片７，１０を中蓋３，４の凹部８，１１に係合させて、中蓋３，４及び外蓋５，６を側面１５〜１８の外側に折り曲げた姿勢に保持し、収容空間２内の収容物２４を取り出す。
【００２９】
以上により、従来では１人の作業者が中蓋３，４及び外蓋５，６を開いた状態に保持し、もう１人の作業者が収容空間２内に収容物２４を入れるなど、複数の作業者が行っていた作業を１人で簡単に行うことができ、作業工数を低減することができる。また、従来は１人の作業者が収容物２４を入れた後に、中蓋３，４を閉じ、外蓋５，６を折り曲げてテープ止め等を行うとき、片手で外蓋５，６を押さえた状態でテープ止め等を行っていたため、テープ貼り付け作業に手間取ることがあったが、本実施の形態によれば、１人の作業者で簡単に収容物２４の出し入れを行うことができる。また、収容空間２内に何回にも分けて出し入れしなければならない部品等が収納されていたり、部品等が緩衝材と一緒に入れられていて、一部の部品や緩衝材を取り出した後も、中蓋３，４及び外蓋５，６を開けておいて欲しい場合等には、中蓋３，４及び外蓋５，６を折り曲げ姿勢に保持することができるので好都合である。
【産業上の利用可能性】
【００３０】
この発明は、工場等から装置の部品類を出荷する際に、この部品類の梱包用として使用したり、また日常生活で使用される入れ物等として広く使用することができる。
【図面の簡単な説明】
【００３１】
【図１】本発明の収納箱の上辺の中蓋と外蓋を開放した状態の外観図である。
【図２】収納箱の展開状態を示す図である。
【図３】（ａ）は、突状片に形成した突起を示す図であり、（ｂ）は、突状片の先端側を大きくした変形例を示す図である。
【図４】段ボール紙の構成を示す外観図である。
【図５】収納箱の上辺側及び下辺側の中蓋と外蓋を開放した状態の外観図である。
【図６】収納箱の中蓋と外蓋を開放状態に保持して、収容物を入れるときの外観図である。
【図７】収納箱の外蓋の突状片を上辺の穴に差し込んで閉じた状態を示す図である。
【図８】収納箱の４つの蓋の外周にリング状の帯体を嵌め入れ、蓋を開放状態に保持する従来例を示す図である。
【符号の説明】
【００３２】
１……収納箱、２……収容空間、３……中蓋、４……中蓋、５……外蓋、６……外蓋、７……突状片、８……凹部、１０……突状片、１１……凹部、１２……穴、１３……穴、１４……上辺、１９……下辺、２４……収容物、２５……突起
【図１】
2006168739.tif 000003
【図２】
2006168739.tif 000004
【図３】
2006168739.tif 000005
【図４】
2006168739.tif 000006
【図５】
2006168739.tif 000007
【図６】
2006168739.tif 000008
【図７】
2006168739.tif 000009
【図８】
2006168739.tif 000010